(57)【要約】【課題】  特定セル用無線基地局の設置可否を簡易に判定することを可能とする判定プログラム、判定装置及び判定方法を提供する。【解決手段】  判定装置２０は、特定セル用無線基地局で選択可能な周波数の数をＮとした場合に、受信信号の受信レベルをＮの周波数毎に測定するように構成された測定部２１と、測定部によってＮの周波数毎に測定された受信レベルのうち、受信レベルが高い方から数えてＮ番目の受信レベルと特定セル用無線基地局に許容される許容干渉閾値とを比較するように構成された比較部２３と、Ｎ番目の受信レベルが許容干渉閾値よりも小さい場合に、特定セル用無線基地局を設置可能であると判定するように構成された判定部２４とを備える。【選択図】  図２
2011160138.tif 000002
【特許請求の範囲】
【請求項１】
公衆セルを有する移動通信システムにおいて、特定セルを有する特定セル用無線基地局の設置可否を判定する判定プログラムであって、コンピュータに、
前記特定セル用無線基地局で選択可能な周波数の数をＮとした場合に、受信信号の受信レベルを前記Ｎの周波数毎に測定する測定ステップと、
前記測定ステップでＮの周波数毎に測定された受信レベルのうち、受信レベルが高い方から数えてＮ番目の受信レベルと前記特定セル用無線基地局に許容される許容干渉閾値とを比較する比較ステップと、
前記Ｎ番目の受信レベルが前記許容干渉閾値よりも小さい場合に、前記特定セル用無線基地局を設置可能であると判定する判定ステップとを実行させることを特徴とする判定プログラム。
【請求項２】
前記測定ステップでは、全受信信号電力又はパイロット信号の受信電力の少なくともいずれか一方を前記受信レベルとして測定することを特徴とする請求項１に記載の判定プログラム。
【請求項３】
前記測定ステップで測定された前記受信レベルをＮの周波数毎に区別して保持する保持ステップをコンピュータにさらに実行させることを特徴とする請求項１に記載の判定プログラム。
【請求項４】
前記測定ステップで測定された前記受信レベルをＮの周波数を区別せずに保持する保持ステップをコンピュータにさらに実行させることを特徴とする請求項１に記載の判定プログラム。
【請求項５】
公衆セルを有する移動通信システムにおいて、特定セルを有する特定セル用無線基地局の設置可否を判定する判定装置であって、
前記特定セル用無線基地局で選択可能な周波数の数をＮとした場合に、受信信号の受信レベルを前記Ｎの周波数毎に測定するように構成された測定部と、
前記測定部によって前記Ｎの周波数毎に測定された受信レベルのうち、受信レベルが高い方から数えてＮ番目の受信レベルと前記特定セル用無線基地局に許容される許容干渉閾値とを比較するように構成された比較部と、
前記Ｎ番目の受信レベルが前記許容干渉閾値よりも小さい場合に、前記特定セル用無線基地局を設置可能であると判定するように構成された判定部とを備えることを特徴とする判定装置。
【請求項６】
公衆セルを有する移動通信システムにおいて、特定セルを有する特定セル用無線基地局の設置可否を判定する判定方法であって、
前記特定セル用無線基地局で選択可能な周波数の数をＮとした場合に、受信信号の受信レベルを前記Ｎの周波数毎に測定する測定ステップと、
前記測定ステップで前記Ｎの周波数毎に測定された受信レベルのうち、受信レベルが高い方から数えてＮ番目の受信レベルと前記特定セル用無線基地局に許容される許容干渉閾値とを比較する比較ステップと、
前記Ｎ番目の受信レベルが前記許容干渉閾値よりも小さい場合に、前記特定セル用無線基地局を設置可能であると判定する判定ステップとを備えることを特徴とする判定方法。
【発明の詳細な説明】
【技術分野】
【０００１】
本発明は、特定セルを有する特定セル用無線基地局の設置可否を判定する判定プログラム、判定装置及び判定方法に関する。
【背景技術】
【０００２】
一般的に、公衆セルを管理する公衆セル用無線基地局は、移動通信端末から不規則に要求されるサービスの品質レベルを満たす必要がある。従って、新たな公衆セル用無線基地局を設置する前において、既存の公衆セル用無線基地局のサービスエリアやトラフィックを予測して、新たな公衆セル用無線基地局の設置位置や構成をシミュレーションによって計算する。また、新たな公衆セル用無線基地局に設定すべき無線パラメータ（下り方向共通制御チャネルの送信電力レベルや周波数）もシミュレーションによって計算される。
【０００３】
従って、新たな公衆セル用無線基地局を設定する際には、既存の公衆セル用無線基地局のサービスエリア、当該サービスエリアにおける通信品質、システム容量などについて、実測確認や維持管理が必要である。
【０００４】
ところで、近年、ＣＳＧ（Ｃｌｏｓｅｄ  Ｓｕｂｓｃｒｉｂｅｒ  Ｇｒｏｕｐ）セル、ホームセル又はフェムトセルなどと称される特定セルが知られている（例えば、非特許文献１）。なお、特定セルには、アクセス種別を設定することが可能である。アクセス種別は、「Ｃｌｏｓｅｄ」、「Ｈｙｂｒｉｄ」又は「Ｏｐｅｎ」である。
【０００５】
「Ｃｌｏｓｅｄ」の特定セルは、特定ユーザ（ＵＥ；Ｕｓｅｒ  Ｅｑｕｉｐｍｅｎｔ）に対するサービスの提供のみが許可されるように構成される。「Ｈｙｂｒｉｄ」の特定セルは、特定ユーザに対して他のユーザ（非特定ユーザ）よりも高品質の通信が許可されるように構成される。「Ｏｐｅｎ」の特定セルは、一般的な公衆セルと同様に、全てのユーザに対するサービスの提供が許可されるように構成される。
【先行技術文献】
【非特許文献】
【０００６】
【非特許文献１】３ＧＰＰ  ＴＳ２２．２２０
【発明の概要】
【発明が解決しようとする課題】
【０００７】
ところで、特定セルは、小規模かつ大規模に配備されるセルであることが好ましい。特定セルは、例えば、マンション等の集合住宅において、家庭毎に設けられることも考えられる。
【０００８】
このようなケースにおいて、特定セルを管理する特定セル用無線基地局を設置する際には、他の特定セル用無線基地局からの干渉、特定セル用無線基地局に比べて大きな送信電力で信号を送信する公衆セル用無線基地局からの干渉等を考慮する必要がある。
【０００９】
従って、特定セル用無線基地局の設置を検討するユーザは、特定セル用無線基地局の購入／設置前において、特定セル用無線基地局の設置可否を簡易に判定したいというニーズを有していると考えられる。
【００１０】
そこで、本発明は、上述した課題を解決するためになされたものであり、特定セル用無線基地局の設置可否を簡易に判定することを可能とする判定プログラム、判定装置及び判定方法を提供することを目的とする。
【課題を解決するための手段】
【００１１】
第１の特等に係る判定プログラムは、公衆セルを有する移動通信システムにおいて、特定セルを有する特定セル用無線基地局の設置可否を判定する。判定プログラムは、前記特定セル用無線基地局で選択可能な周波数の数をＮとした場合に、受信信号の受信レベルを前記Ｎの周波数毎に測定する測定ステップと、前記測定ステップでＮの周波数毎に測定された受信レベルのうち、受信レベルが高い方から数えてＮ番目の受信レベルと前記特定セル用無線基地局に許容される許容干渉閾値とを比較する比較ステップと、前記Ｎ番目の受信レベルが前記許容干渉閾値よりも小さい場合に、前記特定セル用無線基地局を設置可能であると判定する判定ステップとをコンピュータに実行させる。
【００１２】
第１の特徴において、前記測定ステップでは、全受信信号電力又はパイロット信号の受信電力の少なくともいずれか一方を前記受信レベルとして測定する。
【００１３】
第１の特徴において、判定プログラムは、前記測定ステップで測定された前記受信レベルをＮの周波数毎に区別して保持する保持ステップをコンピュータにさらに実行させる。
【００１４】
第１の特徴において、判定プログラムは、前記測定ステップで測定された前記受信レベルをＮの周波数を区別せずに保持する保持ステップをコンピュータにさらに実行させる。
【００１５】
第２の特徴において、判定装置は、公衆セルを有する移動通信システムにおいて、特定セルを有する特定セル用無線基地局の設置可否を判定する。判定装置は、前記特定セル用無線基地局で選択可能な周波数の数をＮとした場合に、受信信号の受信レベルを前記Ｎの周波数毎に測定するように構成された測定部と、前記測定部によって前記Ｎの周波数毎に測定された受信レベルのうち、受信レベルが高い方から数えてＮ番目の受信レベルと前記特定セル用無線基地局に許容される許容干渉閾値とを比較するように構成された比較部と、前記Ｎ番目の受信レベルが前記許容干渉閾値よりも小さい場合に、前記特定セル用無線基地局を設置可能であると判定するように構成された判定部とを備える。
【００１６】
第３の特徴に係る判定方法は、公衆セルを有する移動通信システムにおいて、特定セルを有する特定セル用無線基地局の設置可否を判定する。判定方法は、前記特定セル用無線基地局で選択可能な周波数の数をＮとした場合に、受信信号の受信レベルを前記Ｎの周波数毎に測定する測定ステップと、前記測定ステップで前記Ｎの周波数毎に測定された受信レベルのうち、受信レベルが高い方から数えてＮ番目の受信レベルと前記特定セル用無線基地局に許容される許容干渉閾値とを比較する比較ステップと、前記Ｎ番目の受信レベルが前記許容干渉閾値よりも小さい場合に、前記特定セル用無線基地局を設置可能であると判定する判定ステップとを備える。
【発明の効果】
【００１７】
本発明によれば、特定セル用無線基地局の設置可否を簡易に判定することを可能とする判定プログラム、判定装置及び判定方法を提供することができる。
【図面の簡単な説明】
【００１８】
【図１】第１実施形態に係る移動通信システム１００を示す図である。
【図２】第１実施形態に係る判定装置２０を示す図である。
【図３】第１実施形態に係る判定装置２０の動作を示すフロー図である。
【発明を実施するための形態】
【００１９】
以下において、本発明の実施形態に係る移動通信システムについて、図面を参照しながら説明する。なお、以下の図面の記載において、同一又は類似の部分には、同一又は類似の符号を付している。
【００２０】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２１】
［実施形態の概要］
実施形態に係る判定装置は、公衆セルを有する移動通信システムにおいて、特定セルを有する特定セル用無線基地局の設置可否を判定する。判定装置は、特定セル用無線基地局で選択可能な周波数の数をＮとした場合に、受信信号の受信レベルをＮの周波数毎に測定するように構成された測定部と、測定部によってＮの周波数毎に測定された受信レベルのうち、受信レベルが高い方から数えてＮ番目の受信レベルと特定セル用無線基地局に許容される許容干渉閾値とを比較するように構成された比較部と、Ｎ番目の受信レベルが許容干渉閾値よりも小さい場合に、特定セル用無線基地局を設置可能であると判定するように構成された判定部とを備える。
【００２２】
実施形態では、判定部は、Ｎ番目の受信レベルが許容干渉閾値よりも小さい場合に、特定セル用無線基地局を設置可能であると判定する。
【００２３】
ここで、移動通信端末は、Ｎの周波数を識別可能（受信可能）に構成されることに留意すべきである。すなわち、特定セル用無線基地局が選択可能な周波数の数（Ｎ）は、移動通信端末が識別可能な周波数の数（Ｎ）と同じである。
【００２４】
従って、Ｎ番目の受信レベルが許容干渉閾値よりも小さければ、特定セル用無線基地局が選択可能な周波数の少なくとも１つの周波数では、公衆セルや特定セルからの干渉が許容干渉閾値よりも小さい。従って、特定セル用無線基地局を利用することが可能である。
【００２５】
言い換えると、特定セル用無線基地局が選択可能な周波数の少なくとも１つの周波数では、特定セル用無線基地局のサービスエリアとして所望のサービスエリアを確保することができる。従って、所望のサービスエリア内に位置する移動通信端末は、特定セル用無線基地局からの信号を受信することができる。
【００２６】
このように、特定セル用無線基地局の設置可否を簡易に判定することができる。
【００２７】
なお、実施形態において、特定セルは、小規模かつ大規模に配備されるセルであることが好ましい。特定セルは、ＨＮＢ（Ｈｏｍｅ  Ｎｏｄｅ  Ｂ）、ＨｅＮＢ（Ｈｏｍｅ  Ｅｖｏｌｖｅｄ  Ｎｏｄｅ  Ｂ）、フェムトＢＴＳなどによって構成されるセルであることが好ましい。
【００２８】
［第１実施形態］
（移動通信システムの構成）
以下において、第１実施形態に係る移動通信システムの構成について、図面を参照しながら説明する。図１は、第１実施形態に係る移動通信システム１００を示す図である。
【００２９】
図１に示すように、移動通信システム１００は、通信端末装置１０（以下、ＵＥ１０）と、コアネットワーク５０とを含む。また、移動通信システム１００は、第１通信システムと第２通信システムとを含む。
【００３０】
第１通信システムは、例えば、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）に対応する通信システムである。第１通信システムは、基地局１１０Ａ（以下、ＮＢ１１０Ａ）と、ホーム基地局１１０Ｂ（以下、ＨＮＢ１１０Ｂ）と、ＲＮＣ１２０Ａと、ホーム基地局ゲートウェイ１２０Ｂ（以下、ＨＮＢ−ＧＷ１２０Ｂ）と、ＳＧＳＮ１３０とを有する。
【００３１】
なお、第１通信システムに対応する無線アクセスネットワーク（ＵＴＲＡＮ；Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ＮＢ１１０Ａ、ＨＮＢ１１０Ｂ、ＲＮＣ１２０Ａ、ＨＮＢ−ＧＷ１２０Ｂによって構成される。
【００３２】
第２通信システムは、例えば、ＬＴＥ（Ｌｏｎｇ  Ｔｅｒｍ  Ｅｖｏｌｕｔｉｏｎ）に対応する通信システムである。第２通信システムは、例えば、基地局２１０Ａ（以下、ｅＮＢ２１０Ａ）と、ホーム基地局２１０Ｂ（以下、ＨｅＮＢ２１０Ｂ）と、ホーム基地局ゲートウェイ２２０Ｂ（以下、ＨｅＮＢ−ＧＷ２２０Ｂ）と、ＭＭＥ２３０とを有する。
【００３３】
なお、第２通信システムに対応する無線アクセスネットワーク（Ｅ−ＵＴＲＡＮ；Ｅｖｏｌｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ｅＮＢ２１０Ａ、ＨｅＮＢ２１０Ｂ及びＨｅＮＢ−ＧＷ２２０Ｂによって構成される。
【００３４】
ＵＥ１０は、第１通信システム或いは第２通信システムと通信を行うように構成された装置（Ｕｓｅｒ  Ｅｑｕｉｐｍｅｎｔ）である。例えば、ＵＥ１０は、ＮＢ１１０Ａ及びＨＮＢ１１０Ｂと無線通信を行う機能を有する。或いは、ＵＥ１０は、ｅＮＢ２１０Ａ及びＨｅＮＢ２１０Ｂと無線通信を行う機能を有する。
【００３５】
ＮＢ１１０Ａは、公衆セル１１１Ａを有しており、公衆セル１１１Ａに存在するＵＥ１０と無線通信を行う装置（ＮｏｄｅＢ）である。
【００３６】
ＨＮＢ１１０Ｂは、特定セル１１１Ｂを有しており、特定セル１１１Ｂに存在するＵＥ１０と無線通信を行う装置（Ｈｏｍｅ  ＮｏｄｅＢ）である。
【００３７】
ＲＮＣ１２０Ａは、ＮＢ１１０Ａに接続されており、公衆セル１１１Ａに存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００３８】
ＨＮＢ−ＧＷ１２０Ｂは、ＨＮＢ１１０Ｂに接続されており、特定セル１１１Ｂに存在するＵＥ１０と無線接続（ＲＲＣ  Ｃｏｎｎｅｃｔｉｏｎ）を設定する装置（Ｈｏｍｅ  ＮｏｄｅＢ  Ｇａｔｅｗａｙ）である。
【００３９】
ＳＧＳＮ１３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ１３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００４０】
ｅＮＢ２１０Ａは、公衆セル２１１Ａを有しており、公衆セル２１１Ａに存在するＵＥ１０と無線通信を行う装置（ｅｖｏｌｖｅｄ  ＮｏｄｅＢ）である。
【００４１】
ＨｅＮＢ２１０Ｂは、特定セル２１１Ｂを有しており、特定セル２１１Ｂに存在するＵＥ１０と無線通信を行う装置（Ｈｏｍｅ  ｅｖｏｌｖｅｄ  ＮｏｄｅＢ）である。
【００４２】
ＨｅＮＢ−ＧＷ２２０Ｂは、ＨｅＮＢ２１０Ｂに接続されており、ＨｅＮＢ２１０Ｂを管理する装置（Ｈｏｍｅ  ｅｖｏｌｖｅｄ  ＮｏｄｅＢ  Ｇａｔｅｗａｙ）である。
【００４３】
ＭＭＥ２３０は、ｅＮＢ２１０Ａと接続されており、ｅＮＢ２１０Ａと無線接続を設定しているＵＥ１０の移動性を管理する装置（Ｍｏｂｉｌｉｔｙ  Ｍａｎａｇｅｍｅｎｔ  Ｅｎｔｉｔｙ）である。また、ＭＭＥ２３０は、ＨｅＮＢ−ＧＷ２２０Ｂを介してＨｅＮＢ２１０Ｂと接続されており、ＨｅＮＢ２１０Ｂと無線接続を設定しているＵＥ１０の移動性を管理する装置である。
【００４４】
なお、公衆セル及び特定セルは、ＵＥ１０と無線通信を行う機能として理解すべきである。但し、公衆セル及び特定セルは、セルのサービスエリアを示す用語としても用いられる。また、公衆セル及び特定セルなどのセルは、セルで用いられる周波数、拡散コード又はタイムスロットなどによって識別される。
【００４５】
特定セルは、フェムトセル、ＣＳＧ（Ｃｌｏｓｅｄ  Ｓｕｂｓｃｒｉｂｅｒ  Ｇｒｏｕｐ）セル、ホームセルなどと称されることもある。また、特定セルは、特定セルにアクセス可能なＵＥ１０を規定するアクセス種別が設定可能に構成されている。アクセス種別は、「Ｃｌｏｓｅｄ」、「Ｈｙｂｒｉｄ」又は「Ｏｐｅｎ」である。
【００４６】
「Ｃｌｏｓｅｄ」の特定セルは、特定セルによって管理される特定ユーザに対するサービスの提供のみが許可されるように構成される。
【００４７】
「Ｈｙｂｒｉｄ」の特定セルは、例えば、特定セルによって管理される特定ユーザに対して高品質の通信が許可されるように構成されており、特定セルによって管理されていない非特定ユーザに対してベストエフォート品質の通信が許可されるように構成される。
【００４８】
「Ｏｐｅｎ」の特定セルは、公衆セルと同様に、全てのＵＥ１０に対するサービスの提供が許可されるように構成される。なお、「Ｏｐｅｎ」のセルでは、特定セルによって管理されている否かによって、ＵＥ１０間の通信品質の差異が区別されない。
【００４９】
なお、アクセス種別は、アクセスクラス毎にＵＥ１０のアクセスを禁止する「ＡＣＣＥＳＳ  ＣＬＡＳＳ  ＢＡＲＲＥＤ」、セル毎にＵＥ１０のアクセスを禁止する「ＣＥＬＬ  ＢＡＲＲＥＤ」であってもよい。
【００５０】
（判定装置の構成）
以下において、第１実施形態に係る判定装置の構成について、図面を参照しながら説明する。図２は、第１実施形態に係る判定装置２０を示す図である。
【００５１】
ここで、判定装置２０は、特定セルを有する新たな特定セル用無線基地局の設置可否を判定する。判定装置２０は、例えば、上述したＵＥ１０に設けられる。なお、新たな特定セル用無線基地局は、ＨＮＢ１１０Ｂであってもよく、ＨｅＮＢ２１０Ｂであってもよい。
【００５２】
新たな特定セル用無線基地局が選択可能な周波数の数は“Ｎ”である。また、ＵＥ１０が識別可能（受信可能）な周波数の数も“Ｎ”である。すなわち、新たな特定セル用無線基地局が選択可能な周波数の数がＵＥ１０が受信可能な周波数の数と同じになるように、新たな特定セル用無線基地局が設計されることに留意すべきである。
【００５３】
具体的には、図２に示すように、判定装置２０は、測定部２１と、保持部２２と、比較部２３と、判定部２４とを有する。
【００５４】
測定部２１は、受信信号の受信レベルをＮの周波数毎に測定する。具体的には、測定部２１は、判定装置２０の周辺に設けられる公衆セル（公衆セル１１１Ａ又は公衆セル２１１Ａ）から受信する信号の受信レベルを測定する。或いは、測定部２１は、判定装置２０の周辺に設けられる特定セル（特定セル１１１Ｂ又は特定セル２１１Ｂ）から受信する信号の受信レベルを測定する。
【００５５】
例えば、公衆セル１１１Ａ（ＵＭＴＳ）から受信する信号の受信レベルは、ＲＳＣＰ（Ｒｅｃｅｉｖｅｄ  Ｓｉｇｎａｌ  Ｃｏｄｅ  Ｐｏｗｅｒ）、ＲＳＳＩ（Ｒｅｃｅｉｖｅｄ  Ｓｉｇｎａｌ  Ｓｔｒｅｎｇｔｈ  Ｉｎｄｉｃａｔｏｒ）などのパイロット信号の受信電力であってもよい。或いは、公衆セル２１１Ａ（ＬＴＥ）から受信する信号の受信レベルは、ＲＳＲＰ（Ｒｅｆｅｒｅｎｃｅ−Ｓｉｇｎａｌ−Ｒｅｃｅｉｖｅｄ−Ｐｏｗｅｒ）などの全受信信号電力であってもよい。
【００５６】
保持部２２は、測定部２１によって測定された受信レベルを保持する。ここで、保持部２２は、測定部２１によって測定された受信レベルをＮの周波数毎に区別して保持してもよい。すなわち、保持部２２は、受信レベルと周波数との対応関係を保持しながら、Ｎ個の受信レベルを保持してもよい。或いは、保持部２２は、測定部２１によって測定された受信レベルをＮの周波数に区別せずに保持してもよい。すなわち、保持部２２は、Ｎ個の受信レベルを保持するが、受信レベルと周波数との対応関係を保持しなくてもよい。
【００５７】
比較部２３は、測定部２１によってＮの周波数毎に測定された受信レベルのうち、Ｎ番目の受信レベルと新たな特定セル用無線基地局に許容される許容干渉閾値とを比較する。なお、Ｎ番目の受信レベルは、測定部２１によって測定された受信レベルのうち、最も低い受信レベルであることに留意すべきである。
【００５８】
許容干渉閾値は、新たな特定セル用無線基地局のサービスエリアの広さ（エリア半径）等によって動的に定められてもよい。許容干渉閾値は、事前に設定されていてもよい。
【００５９】
判定部２４は、Ｎ番目の受信レベルが許容干渉閾値よりも小さい場合に、新たな特定セル用無線基地局を設置可能であると判定する。また、判定部２４は、Ｎ番目の受信レベルが許容干渉閾値以上である場合に、新たな特定セル用無線基地局を設置不可であると判定する。
【００６０】
（判定装置の動作）
以下において、第１実施形態に係る判定装置の動作について、図面を参照しながら説明する。図３は、第１実施形態に係る判定装置２０の動作を示すフロー図である。
【００６１】
図３に示すように、ステップ１０において、判定装置２０は、受信信号の受信レベルをＮの周波数毎に測定する。
【００６２】
なお、“Ｎ”は、上述したように、新たな特定セル用無線基地局が選択可能な周波数の数である。また、“Ｎ”は、ＵＥ１０が受信可能な周波数の数である。
【００６３】
ステップ２０において、判定装置２０は、ステップ１０で測定された受信レベルを保持する。ここで、判定装置２０は、ステップ１０で測定された受信レベルをＮの周波数毎に区別して保持してもよい。或いは、判定装置２０は、ステップ１０で測定された受信レベルをＮの周波数に区別せずに保持してもよい。
【００６４】
ステップ３０において、判定装置２０は、ステップ２０で保持された受信レベルの中から、Ｎ番目の受信レベルを抽出する。
【００６５】
ステップ４０にいて、判定装置２０は、Ｎ番目の受信レベルと新たな特定セル用無線基地局に許容される許容干渉閾値とを比較する。Ｎ番目の受信レベルが許容干渉閾値よりも小さい場合には、判定装置２０は、ステップ５０の処理に移る。Ｎ番目の受信レベルが許容干渉閾値以上である場合には、判定装置２０は、ステップ６０の処理に移る。
【００６６】
ステップ５０において、判定装置２０は、新たな特定セル用無線基地局を設置可能であると判定する。
【００６７】
ステップ６０において、判定装置２０は、新たな特定セル用無線基地局を設置不可であると判定する。
【００６８】
（作用及び効果）
第１実施形態では、判定部２４は、Ｎ番目の受信レベルが許容干渉閾値よりも小さい場合に、特定セル用無線基地局を設置可能であると判定する。
【００６９】
ここで、ＵＥ１０は、Ｎの周波数を識別可能（受信可能）に構成されることに留意すべきである。すなわち、特定セル用無線基地局が選択可能な周波数の数“Ｎ”は、ＵＥ１０が識別可能な周波数の数“Ｎ”と同じである。
【００７０】
従って、Ｎ番目の受信レベルが許容干渉閾値よりも小さければ、特定セル用無線基地局が選択可能な周波数の少なくとも１つの周波数では、公衆セルや特定セルからの干渉が許容干渉閾値よりも小さい。従って、特定セル用無線基地局を利用することが可能である。
【００７１】
言い換えると、特定セル用無線基地局が選択可能な周波数の少なくとも１つの周波数では、特定セル用無線基地局のサービスエリアとして所望のサービスエリアを確保することができる。従って、所望のサービスエリア内に位置する移動通信端末は、特定セル用無線基地局からの信号を受信することができる。
【００７２】
このように、特定セル用無線基地局の設置可否を簡易に判定することができる。
【００７３】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００７４】
図３に示す各ステップは、コンピュータに実行させる判定プログラムとして提供されてもよい。すなわち、判定プログラムは、図３に示す各ステップをコンピュータに実行させる。また、判定プログラムは、図３に示す各ステップを通信端末装置１０内に設けられるコンピュータに実行させてもよい。
【００７５】
なお、判定装置２０の動作は、ハードウェアによって実施されてもよいし、プロセッサによって実行されるソフトウェアモジュールによって実施されてもよいし、両者の組み合わせによって実施されてもよい。
【００７６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、判定装置２０内に設けられていてもよい。また、かかる記憶媒体及びプロセッサは、ディスクリートコンポーネントとして判定装置２０内に設けられていてもよい。
【符号の説明】
【００７８】
１０…通信端末装置、２０…判定装置、２１…測定部、２２…保持部、２３…比較部、２４…判定部、５０…コアネットワーク、１００…移動通信システム、１１０Ａ…ＮＢ、１１０Ｂ…ＨＮＢ、１１１Ａ…公衆セル、１１１Ｂ…特定セル、１２０Ａ…ＲＮＣ、１２０Ｂ…ＨＮＢ−ＧＷ、１３０…ＳＧＳＮ、２１０Ａ…ｅＮＢ、２１０Ｂ…ＨｅＮＢ、２１１Ａ…公衆セル、２１１Ｂ…特定セル、２２０Ｂ…ＨｅＮＢ−ＧＷ、２３０…ＭＭＥ
【図１】
2011160138.tif 000003
【図２】
2011160138.tif 000004
【図３】
2011160138.tif 000005